(57)【要約】【課題】  紐結束古紙の紐を解除し、古紙束を分割した解除分解古紙について、その中から紐を回収除去する装置を提供する。【解決手段】  処理塔内における、紐結束古紙の紐結束を解除すると共に古紙束を分解した解除分解古紙が供給される位置に配置された紐回収除去装置であって、  処理塔内に回転駆動可能に支持された紐巻取り軸の周面に、軸方向全長に延長するカッター案内溝を間に有する一対の溝板を少くとも一組突設すると共に、上記供給される解除分解古紙の中の紐をかき取って巻取り軸周面に巻き取るための紐キャッチ爪を多数突設し、  上記紐巻取り軸のカッター案内溝内を全長にわたって進退駆動可能のカッターロッドを設けると共に、該カッターロッドに、その進退時に上記巻取り軸周面に巻き取られた紐を切断できる位置に刃を設けた、紐結束古紙の紐回収除去装置。【選択図】        図７
2005133247.tif 000002
【特許請求の範囲】
【請求項１】
処理塔内における、紐結束古紙の紐結束を解除すると共に古紙束を分解した解除分解古紙が供給される位置に配置された紐回収除去装置であって、
処理塔内に回転駆動可能に支持された紐巻取り軸の周面に、軸方向全長に延長するカッター案内溝を間に有する一対の溝板を少くとも一組突設すると共に、上記供給される解除分解古紙の中の紐をかき取って巻取り軸周面に巻き取るための紐キャッチ爪を多数突設し、
上記紐巻取り軸のカッター案内溝内を全長にわたって進退駆動可能のカッターロッドを設けると共に、該カッターロッドに、その進退時に上記巻取り軸周面に巻き取られた紐を切断できる位置に刃を設けた、
紐結束古紙の紐回収除去装置。
【発明の詳細な説明】
【技術分野】
【０００１】
本発明は、家庭、事業所等から分別回収される古新聞、古雑誌、書類屑、段ボール屑の紐で結束された古紙について、紐を解除し、古紙束を分解した後その中から紐を回収し除去する装置に関する。
【背景技術】
【０００２】
従来、回収された紐結束古紙を解除分解する装置として、上端にホッパーを開口し、下端部に送り出しコンベアを配置した処理塔の内部中間位置に、軸の外周面に多数の撹拌羽根を突設してなる撹拌軸２本を水平状態で平行に支持し、この２本の回転する撹拌軸の上にホッパーから紐結束古紙を投入し、これら紐結束古紙に対し撹拌羽根により紐の解除及び古紙束の分解を行って下のコンベア上に落下させるものが知られている。
【０００３】
しかし、現在、古紙結束に用いられる紐がほとんど合成樹脂製のものであるため、上記の従来装置から送り出される解除分解古紙には合成樹脂紐が混在し、これを古紙再生工程に原料として利用するには、合成樹脂紐を除去する選別作業が必要となるばかりでなく、この段階での選別作業が甚だしく手間のかかる煩わしい作業となる難点があった。
【発明の開示】
【発明が解決しようとする課題】
【０００４】
本発明は、上記の紐結束古紙の紐を解除し、古紙束を分解した解除分解古紙について、その中から紐を回収除去する装置を提供することを課題とする。
【課題を解決するための手段】
【０００５】
そこで、本発明は、
処理塔内における、紐結束古紙の紐結束を解除すると共に古紙束を分解した解除分解古紙が供給される位置に配置された紐回収除去装置であって、
処理塔内に回転駆動可能に支持された紐巻取り軸の周面に、軸方向全長に延長するカッター案内溝を間に有する一対の溝板を少くとも一組突設すると共に、上記供給される解除分解古紙の中の紐をかき取って巻取り軸周面に巻き取るための紐キャッチ爪を多数突設し、
上記紐巻取り軸のカッター案内溝内を全長にわたって進退駆動可能のカッターロッドを設けると共に、該カッターロッドに、その進退時に上記巻取り軸周面に巻き取られた紐を切断できる位置に刃を設けた、
紐結束古紙の紐回収除去装置を提案する。
【発明の効果】
【０００６】
本発明の紐結束古紙の紐回収除去装置によれば、供給される解除分解古紙の中から回転する紐キャッチ爪によって紐をかき取って巻取り軸に巻き取り、残りの古紙は紐の混在しない古紙として直ちに古紙再生工程に送ることができ、一方巻取り軸に巻き取った紐は、カッターを案内溝に進退駆動させることによって切断して巻取り軸から離脱させ、上記古紙と別に除去することができるのである。
【発明を実施するための最良の形態】
【０００７】
本発明における「解除分解古紙が供給される位置に配置される紐回収除去装置」には、１つの処理塔内に、紐結束古紙を解除分解する装置と、上記装置から解除分解古紙が供給される紐回収除去装置とを上下に配置した構成、及び１つの処理塔内に紐結束古紙を解除分解する装置を配置し、そこから得られる解除分解古紙を他の処理塔内に配置された紐回収除去装置に供給する構成のものがある。
【実施例】
【０００８】
図１、２において、四角筒状の処理塔（１）の開口上端にホッパー（２）を、下端部に処理塔（１）内から塔外へほぼ水平に延長するコンベア（３）をそれぞれ設け、塔（１）内上部に、軸外周面に多数の撹拌羽根（５）…を突設された撹拌軸２本（４）、（４）を互の撹拌羽根（５）…、（５）…をくい込ませた状態で水平位置に平行に支持すると共に、各撹拌軸（４）、（４）の一端部を、処理塔一側のフレーム（６）に設置されたモータ（７）、（７）にそれぞれ接続してあり、該撹拌軸（４）、（４）の下位に紐回収除去装置を配設してある。
【０００９】
上記紐回収除去装置は、紐巻取り軸（８）と、巻取った紐を切除するカッター装置（９）とからなる。
【００１０】
上記紐巻取り軸（８）は、図２、３に示すように、正四角筒の軸本体（１０）における相対する両外側面に一対の溝板（１１）、（１１）を間隔をあけて軸線と平行にそれぞれ突設し、両溝板（１１）（１１）、（１１）（１１）間に、軸全長に及ぶカッター案内溝（１２）、（１２）をそれぞれ形成し、各溝板（１１）…の外側辺には、短い紐キャッチ爪（１３）…をそれぞれ等間隔をあけて突設してある。
【００１１】
他の相対する外側面には、長い紐キャッチ爪（１４）…を突設してある。このような巻取り軸（８）の両端支持軸を処理塔（１）側壁を貫通して外部に延出し、延出端をそれぞれ軸受（１５）、（１５）に回転自在にかつ水平に支持すると共に、一方の支持軸をカップリング（１６）を介してモータ（１７）に接続してある。
【００１２】
（１８）、（１８）は、上記撹拌軸（４）、（４）と紐巻取り軸（８）との間の処理塔（１）内を狹さくする傾斜狹さく板である。
【００１３】
上記カッター装置（９）の構造は次のようである。図４、５、６において、処理塔（１）の外側面から上記巻取り軸軸受（１５）の外側に延出した支持アーム（１９）の先端部に前後２個のピン孔つきブロック状支持台（２１）、（２２）を突設し、該支持台上にカッターホルダー（２３）を支持してある。
【００１４】
上記カッターホルダー（２３）は、横断面矩形のカッターロッド案内孔（２５）を有する案内筒（２４）の両側から側板（２６）、（２６）を水平に延出したサドル形のもので、その両側板（２６）、（２６）間を上記前後支持台（２１）、（２２）に上から被嵌し、該側板（２６）、（２６）から上記後部支持台（２２）に固定ピン（２７）を、前部支持台（２１）にツマミつきの挿脱ピン（２８）をそれぞれ差しこんで、該案内筒（２４）を上記巻取り軸（８）の延長方向と平行に向けて支持し、この案内筒（２４）の案内孔（２５）内に、下辺にラック歯（３０）を有する長いカッターロッド（２９）を摺動自在に挿入支持させると共に、該ロッド（２９）先端に、斜辺に刃（３２）を有するカッターヘッド（３１）を固定してある。
【００１５】
上記カッターロッド（２９）の進退駆動手段として、上記支持台（２１）、（２２）間において両側板（２６）、（２６）に軸（３３）を回転自在に支持し、該軸（３３）に固定されたピニオン（３４）を、上記案内筒（２４）の窓（３５）を介して上記ラック（２９）にかみ合わせ、上記軸（３３）の側板（２６）からの突出端部に、駆動手段として本例では手動ハンドル（３６）を固定してある。
【００１６】
上記カッターロッド（２９）を処理塔（１）内に進退させるため、上記処理塔（１）の一側壁におけるカッターロッド（２９）に対向する位置に窓（３７）を開設すると共に、該窓（３７）を開閉するスライドドア（３８）を設け、又処理塔（１）の他側壁にも、図７に示すように、同じく窓（３９）を開設すると共に、その外側に、ゴム板、薄鋼板等の弾性蓋板（４０）の上端部をネジ止めして常時は窓（３９）を閉止すべく垂下してある。
【００１７】
この場合、紐巻取り軸（８）の案内溝（１２）を、図２のように、最上位で上方に開口させているときにカッターロッド（２９）を進退させたときは、該カッターロッド（２９）が上記案内溝（１２）内を進退する位置関係にあり、又上記カッターロッド（２９）の進退において、該カッターロッド（２９）は上記案内溝（１２）内から上方へ張り出すことはないが、カッターヘッド（３１）の刃（３２）が常に案内溝（１２）から上方へ突出する寸法としてある。
【００１８】
なお、上記カッター装置（９）の不使用時には、上記挿脱ピン（２８）を引き抜き、カッターホルダー（２３）を固定ピン（２７）を中心に図４反時計方向に回転させて図１のようにカッターロッド（２９）を垂下させておくとよい。
【００１９】
上例の作用を次に説明する。モータ（７）、（７）、（１７）を始動し、撹拌軸（４）、（４）を図２に矢印で示す相反する方向へ、紐巻取り軸（８）は反時計方向へそれぞれ回転させ、その状態で図８に示すように古紙束を紐（Ｓ）で結束した紐結束古紙（Ｐ）…をホッパー（２）内に投入すると、まず撹拌軸（４）、（４）の撹拌羽根（５）…により激しく撹拌することにより紐を古紙から解除すると共に古紙束を分解し、これら紐を含む解除分解古紙を狹さく板（１８）、（１８）を経て紐巻取り軸（８）に供給する。
【００２０】
巻取り軸（８）は、その紐キャッチ爪（１３）…、（１４）…により供給される古紙の中から紐をかき取りつつ軸本体（１０）及び溝板（１１）…の外周に巻き取っていき、残りの分解古紙はコンベア（３）上に落下させて外部へ送り出し、以下これを継続し、相当量の紐が巻き取られたら撹拌軸（４）、（４）及び巻取り軸（８）の回転を停止する。
【００２１】
次に、上記巻取り軸（８）を寸動回転させて、いずれかの案内溝（１２）を最上位で上向きに位置させ、次にスライドドア（３８）を開き、ハンドル（３６）を回してカッターロッド（２９）を上記窓（３７）から上記巻取り軸（８）の案内溝（１２）内に前進させる。それによりカッターヘッド（３１）の刃（３２）により、上記案内溝（１２）をよぎって巻き取られている紐を切断していく。上記カッターヘッド（３１）は図７のように弾性蓋板（４０）を押し開いて窓（３９）から若干外部へ突出する位置まで前進して巻き取られた紐全量を切断する。切断された紐はコンベア（３）上に落下し、先行の分解古紙と分別されて送り出される。
【００２２】
１回の紐回収除去後は、上記ハンドル（３６）の逆回しによりカッターロッド（２９）を処理塔（１）外へ後退させると共にスライドドア（３８）を閉じて、上記と同様に紐結束古紙の解除分解ついで紐回収除去を繰返す。
【図面の簡単な説明】
【００２３】
【図１】処理塔の一部縦断正面図である。
【図２】図１のＡ−Ａ線拡大断面図である。
【図３】紐巻取り軸の拡大正面図である。
【図４】カッター装置部分の拡大縦断正面図である。
【図５】同上平面図である。
【図６】（イ）図５のＢ−Ｂ線拡大断面図である。（ロ）図５のＣ−Ｃ線拡大断面図である。
【図７】カッターロッド進出時の巻取り軸部分の一部切欠拡大縦断正面図である。
【図８】紐結束古紙の斜面図である。
【符号の説明】
【００２４】
１  処理塔
８  紐巻取り軸
１１  溝板
１２  カッター案内溝
１３、１４  紐キャッチ爪
２９  カッターロッド
３１  カッターヘッド
３２  刃
Ｐ  紐結束古紙
Ｓ  紐
【図１】
2005133247.tif 000003
【図２】
2005133247.tif 000004
【図３】
2005133247.tif 000005
【図４】
2005133247.tif 000006
【図５】
2005133247.tif 000007
【図６】
2005133247.tif 000008
【図７】
2005133247.tif 000009
【図８】
2005133247.tif 000010